(57)【要約】【課題】ユーザーが設定した複数の異なる設定時間の全てを同時に表示できる、目盛りパターンを表示するタイマーを提供する。【解決手段】表示面１１を有するハウジング１と  該ハウジング１の特定の位置に設けられ、ユーザーによる少なくとも１以上の設定期日と、少なくとも１以上の時間帯との選択に供する設定ユニット２１と、該ハウジング１の表示面２１に設けられ、かつそれぞれが所定の時間の長さを表す複数の時間目盛り部２２１を有する目盛りパターン表示ユニット２２と、によってタイマー１００を構成する。【選択図】図１
2009139357.tif 000002
【特許請求の範囲】
【請求項１】
表示面を有するハウジングと、
該ハウジングの特定の位置に設けられ、ユーザーによる少なくとも１以上の設定期日と、少なくとも１以上の時間帯との選択に供する設定ユニットと、  該ハウジングの表示面に設けられ、かつそれぞれが所定の時間の長さを表す複数の時間目盛り表示部を有する目盛りパターン表示ユニットと、を含むことを特徴とする目盛りパターンを表示するタイマー。
【請求項２】
前記目盛りパターン表示ユニットが複数のＬＥＤによってなることを特徴とする請求項１に記載の目盛りパターンを表示するタイマー。
【請求項３】
前記目盛りパターン表示ユニットが液晶表示装置であることを特徴とする請求項１に記載の目盛りパターンを表示するタイマー。
【請求項４】
前記ハウジングの特定の位置に電源入力端と電源出力端とをさらに具え、該電源入力端が外部の電気エネルギーを得て、該電源出力端を電器製品の挿入に供し、ユーザーの設定した時間に至ると、該電源入力端から得た外部の電気エネルギーを該電力出力端に通電させ、電力を該電源出力端に接続した電器用品に供給することを特徴とする請求項１に記載の目盛りパターンを表示するタイマー。
【請求項５】
表示面を有するハウジングと、
該ハウジングの特定の位置に設けられ、ユーザーによる少なくとも１以上の設定期日と、少なくとも１以上の時間帯との選択に供する設定ユニットと、
該ハウジングの表示面に設けられ、かつそれぞれが所定の時間の長さを表す複数の時間目盛り表示部を有する目盛りパターン表示ユニットと、
該目盛りパターン表示ユニット上に対応して設けられ、ユーザーが選択した期日における少なくとも１以上の時間帯の設定に供するタッチパネルと、を含むことを特徴とする目盛りパターンを表示するタイマー。
【請求項６】
前記目盛りパターン表示ユニットが液晶表示装置であることを特徴とする請求項５に記載の目盛りパターンを表示するタイマー。
【請求項７】
前記ハウジングの特定の位置に電源入力端と電源出力端とをさらに具え、該電源入力端が外部の電気エネルギーを得て、該電源出力端を電器製品の挿入に供し、ユーザーの設定した時間に至ると、該電源入力端から得た外部の電気エネルギーを該電力出力端に通電させ、電力を該電源出力端に接続した電器用品に供給することを特徴とする請求項５に記載の目盛りパターンを表示するタイマー。
【請求項８】
マイクロプロセッサーと、
該マイクロプロセッサーに接続して、ユーザーによる少なくとも１以上の設定期日と、少なくとも１以上の時間帯との選択に供する設定ユニットと、
該マイクロプロセッサーに接続して、ユーザーの設定した設定時間を保存するメモリユニットと、
該マイクロプロセッサーに接続し、かつそれぞれが所定の時間の長さを表す複数の時間目盛り表示部を有する目盛りパターン表示ユニットと、を含んでなり、
該マイクロプロセッサーが設定された時間に基づいて計算し、該設定時間に対応する該時間目盛り表示部を得て、これに基づいて該目盛りパターン表示ユニットを駆動することを特徴とする目盛りパターンを表示するタイマー。
【請求項９】
前記タイマーが電源入力端と、開閉器ユニットと、電源出力端とをさらに具え、該電源入力端は外部の電気エネルギーを得るために用いられ、該開閉器ユニットは該マイクロプロセッサーと該電源入力端と該電源出力端とに接続し、該電源出力端は電器製品の挿入に供し、ユーザーの設定した時間に至ると、該マイクロプロセッサーが該開閉器ユニットに駆動信号を出力し、該開閉器ユニットによって該電源入力端から得た外部の電気エネルギーを該電力出力端に通電させ、電力を該電源出力端に接続した電器用品に供給することを特徴とする請求項８に記載の目盛りパターンを表示するタイマー。
【請求項１０】
前記目盛りパターン表示ユニットが複数のＬＥＤによってなることを特徴とする請求項８に記載の目盛りパターンを表示するタイマー。
【請求項１１】
前記タイマーが、該マイクロプロセッサーに接続して時間目盛りパターンデータを保存する時間目盛りパターンデータベースをさらに具え、
該目盛りパターン表示ユニットが液晶表示装置であって、
該マイクロプロセッサーが設定時間に基づいて計算し、該設定時間に対応する時間目盛り部を得て、これに基づき該時間目盛りパターンデータベースに保存されたデータから対応する時間目盛りパターンデータを読み取り、さらに対応する該時間目盛りパターンデータに基づいて該目盛りパターン表示ユニットを駆動することを特徴とする請求項８に記載の目盛りパターンを表示するタイマー。
【請求項１２】
マイクロプロセッサーと、
該マイクロプロセッサーに接続して、ユーザーによる少なくとも１以上の設定期日と、少なくとも１以上の時間帯との選択に供するタッチパネルと、
該マイクロプロセッサーに接続して、ユーザーの設定した設定時間を保存するメモリユニットと、
該マイクロプロセッサーに接続してタイムベースパルス信号を該マイクロプロセッサーに提供するタイムベース信号発生ユニットと、
該マイクロプロセッサーに接続して時間目盛りパターンデータを保存する時間目盛りパターンデータベースと、
該マイクロプロセッサーに接続し、かつそれぞれが所定の時間の長さを表す複数の時間目盛り表示部を有する目盛りパターン表示ユニットと、を含んでなり、
該マイクロプロセッサーが設定時間に基づいて計算し、該設定時間に対応する時間目盛り部を得て、これに基づき該時間目盛りパターンデータベースに保存されたデータから対応する時間目盛りパターンデータを読み取り、さらに対応する該時間目盛りパターンデータに基づいて該目盛りパターン表示ユニットを駆動することを特徴とする請求項８に記載の目盛りパターンを表示するタイマー。
【請求項１３】
前記タイマーが電源入力端と、開閉器ユニットと、電源出力端とをさらに具え、該電源入力端は外部の電気エネルギーを得るために用いられ、該開閉器ユニットは該マイクロプロセッサーと該電源入力端と該電源出力端とに接続し、該電源出力端は電器製品の挿入に供し、ユーザーの設定した時間に至ると、該マイクロプロセッサーが該開閉器ユニットに駆動信号を出力し、該開閉器ユニットによって該電源入力端から得た外部の電気エネルギーを該電力出力端に通電させ、電力を該電源出力端に接続した電器用品に供給することを特徴とする請求項１２に記載の目盛りパターンを表示するタイマー。
【請求項１４】
前記目盛りパターン表示ユニットが液晶表示装置であることを特徴とする請求項１２に記載の目盛りパターンを表示するタイマー。
【発明の詳細な説明】
【技術分野】
【０００１】
本発明は、タイマーに係り、特に目盛りパターンを表示するタイマーに関する。
【背景技術】
【０００２】
タイマー、もしくは時間計測装置は、時間の通知、時間の計測、電気の定時の開閉、自動制御などに用いられる。目下使用されている時間計測装置のタイプは、略機械式と電子式の二種類に大別される。電子式は、精密で、応用する上での柔軟性を有し、設定が容易であるなどの特徴を具える。よって、従来の機械式の時間計測装置に取って代わりつつある。
【０００３】
目前、市場では多種の電子式タイマーがあり、毎週７日を設定でき、毎日１４以上の定時時間の開閉も可能となっている。しかし、ユーザーが毎回の定時時間の開閉をそれぞれ設定しなければならず、設定後、その設定した複数の異なる開閉の定時時間の全てを表示装置又はディスプレーに同時に表示できず、非常に不便である。
【０００４】
従来の電子式タイマーは、同一の期日、もしくは同一の週において複数の異なる設定時間を設定する機能をユーザーに提供することができる。しかしながら、ユーザーが設定したこれら複数の異なる設定時間の全てを同時に表示装置に表示することができない。よって、ユーザーが設定した時間を確認する場合、もしくは設定した時間を変更する場合、すでに設定した時間を変更する場合、設定した時間を逐一調べなければならない。故に、時間の浪費を招き、使用上不便である。
【発明の開示】
【発明が解決しようとする課題】
【０００５】
本発明は、ユーザーが設定した複数の異なる設定時間の全てを同時に表示できる、目盛りパターンを表示するタイマーを提供すること課題とする。
【課題を解決するための手段】
【０００６】
そこで、本発明者は従来の技術に見られる欠点鑑み鋭意研究を重ねた結果、表示面を有するハウジングと  該ハウジングの特定の位置に設けられ、ユーザーによる少なくとも１以上の設定期日と、少なくとも１以上の時間帯との選択に供する設定ユニットと、該ハウジングの表示面に設けられ、かつそれぞれが所定の時間の長さを表す複数の時間目盛り表示部を有する目盛りパターン表示ユニットと、によってタイマーを構成することによって、課題を解決できる点に着眼し、かかる知見に基づいて本発明を完成させた。
【０００７】
即ち、本願発明に係る請求項１に記載する目盛りパターンを表示するタイマーは、表示面を有するハウジングと、該ハウジングの特定の位置に設けられ、ユーザーによる少なくとも１以上の設定期日と、少なくとも１以上の時間帯との選択に供する設定ユニットと、該ハウジングの表示面に設けられ、かつそれぞれが所定の時間の長さを表す複数の時間目盛り表示部を有する目盛りパターン表示ユニットと、を含む。
【０００８】
請求項２に記載する目盛りパターンを表示するタイマーは、請求項１における目盛りパターン表示ユニットが複数のＬＥＤによってなる。
【０００９】
請求項３に記載する目盛りパターンを表示するタイマーは、請求項１における目盛りパターン表示ユニットが液晶表示装置である。
【００１０】
請求項４に記載する目盛りパターンを表示するタイマーは、請求項１におけるハウジングの特定の位置に電源入力端と電源出力端とをさらに具え、該電源入力端が外部の電気エネルギーを得て、該電源出力端を電器製品の挿入に供し、ユーザーの設定した時間に至ると、該電源入力端から得た外部の電気エネルギーを該電力出力端に通電させ、電力を該電源出力端に接続した電器用品に供給する。
【００１１】
請求項５に記載する目盛りパターンを表示するタイマーは、表示面を有するハウジングと、該ハウジングの特定の位置に設けられ、ユーザーによる少なくとも１以上の設定期日と、少なくとも１以上の時間帯との選択に供する設定ユニットと、該ハウジングの表示面に設けられ、かつそれぞれが所定の時間の長さを表す複数の時間目盛り表示部を有する目盛りパターン表示ユニットと、該目盛りパターン表示ユニット上に対応して設けられ、ユーザーが選択した期日における少なくとも１以上の時間帯の設定に供するタッチパネルと、を含む。
【００１２】
請求項６に記載する目盛りパターンを表示するタイマーは、請求項５における  目盛りパターン表示ユニットが液晶表示装置である。
【００１３】
請求項７に記載する目盛りパターンを表示するタイマーは、請求項５における記ハウジングの特定の位置に電源入力端と電源出力端とをさらに具え、該電源入力端が外部の電気エネルギーを得て、該電源出力端を電器製品の挿入に供し、ユーザーの設定した時間に至ると、該電源入力端から得た外部の電気エネルギーを該電力出力端に通電させ、電力を該電源出力端に接続した電器用品に供給する。
【００１４】
請求項８に記載する目盛りパターンを表示するタイマーは、マイクロプロセッサーと、該マイクロプロセッサーに接続して、ユーザーによる少なくとも１以上の設定期日と、少なくとも１以上の時間帯との選択に供する設定ユニットと、該マイクロプロセッサーに接続して、ユーザーの設定した設定時間を保存するメモリユニットと、該マイクロプロセッサーに接続し、かつそれぞれが所定の時間の長さを表す複数の時間目盛り表示部を有する目盛りパターン表示ユニットと、を含んでなり、該マイクロプロセッサーが設定された時間に基づいて計算し、該設定時間に対応する該時間目盛り表示部を得て、これに基づいて該目盛りパターン表示ユニットを駆動する。
【００１５】
請求項９に記載する目盛りパターンを表示するタイマーは、請求項８におけるタイマーが電源入力端と、開閉器ユニットと、電源出力端とをさらに具え、該電源入力端は外部の電気エネルギーを得るために用いられ、該開閉器ユニットは該マイクロプロセッサーと該電源入力端と該電源出力端とに接続し、該電源出力端は電器製品の挿入に供し、ユーザーの設定した時間に至ると、該マイクロプロセッサーが該開閉器ユニットに駆動信号を出力し、該開閉器ユニットによって該電源入力端から得た外部の電気エネルギーを該電力出力端に通電させ、電力を該電源出力端に接続した電器用品に供給する。
【００１６】
請求項１０に記載する目盛りパターンを表示するタイマーは、請求項８における目盛りパターン表示ユニットが複数のＬＥＤによってなる。
【００１７】
請求項１１に記載する目盛りパターンを表示するタイマーは、請求項８におけるタイマーが、該マイクロプロセッサーに接続して時間目盛りパターンデータを保存する時間目盛りパターンデータベースをさらに具え、該目盛りパターン表示ユニットが液晶表示装置であって、該マイクロプロセッサーが設定時間に基づいて計算し、該設定時間に対応する時間目盛り部を得て、これに基づき該時間目盛りパターンデータベースに保存されたデータから対応する時間目盛りパターンデータを読み取り、さらに対応する該時間目盛りパターンデータに基づいて該目盛りパターン表示ユニットを駆動する。
【００１８】
請求項１２に記載する目盛りパターンを表示するタイマーは、マイクロプロセッサーと、該マイクロプロセッサーに接続して、ユーザーによる少なくとも１以上の設定期日と、少なくとも１以上の時間帯との選択に供するタッチパネルと、該マイクロプロセッサーに接続して、ユーザーの設定した設定時間を保存するメモリユニットと、該マイクロプロセッサーに接続してタイムベースパルス信号を該マイクロプロセッサーに提供するタイムベース信号発生ユニットと、該マイクロプロセッサーに接続して時間目盛りパターンデータを保存する時間目盛りパターンデータベースと、該マイクロプロセッサーに接続し、かつそれぞれが所定の時間の長さを表す複数の時間目盛り表示部を有する目盛りパターン表示ユニットと、を含んでなり、該マイクロプロセッサーが設定時間に基づいて計算し、該設定時間に対応する時間目盛り部を得て、これに基づき該時間目盛りパターンデータベースに保存されたデータから対応する時間目盛りパターンデータを読み取り、さらに対応する該時間目盛りパターンデータに基づいて該目盛りパターン表示ユニットを駆動する。
【００１９】
請求項１３に記載する目盛りパターンを表示するタイマーは、請求項１２におけるタイマーが電源入力端と、開閉器ユニットと、電源出力端とをさらに具え、該電源入力端は外部の電気エネルギーを得るために用いられ、該開閉器ユニットは該マイクロプロセッサーと該電源入力端と該電源出力端とに接続し、該電源出力端は電器製品の挿入に供し、ユーザーの設定した時間に至ると、該マイクロプロセッサーが該開閉器ユニットに駆動信号を出力し、該開閉器ユニットによって該電源入力端から得た外部の電気エネルギーを該電力出力端に通電させ、電力を該電源出力端に接続した電器用品に供給する。
【００２０】
請求項１４に記載する目盛りパターンを表示するタイマーは、請求項１２における目盛りパターン表示ユニットが液晶表示装置である。
【発明の効果】
【００２１】
本発明による目盛りパターンを表示するタイマーは、ユーザーが設定した複数の異なる設定時間の全てを同時に表示でき、設定した複数の時間を一目ではっきりと確認することができるため、設定時間の確認、再調整などの操作を容易にするという利便性、利点を有する。
【発明を実施するための最良の形態】
【００２２】
本発明は、ユーザーが設定した複数の異なる設定時間の全てを同時に表示できる、目盛りパターンを表示するタイマーを提供するものであって、表示面を有するハウジングと  該ハウジングの特定の位置に設けられ、ユーザーによる少なくとも１以上の設定期日と、少なくとも１以上の時間帯との選択に供する設定ユニットと、該ハウジングの表示面に設けられ、かつそれぞれが所定の時間の長さを表す複数の時間目盛り表示部を有する目盛りパターン表示ユニットと、によってタイマーを構成する。係るタイマーの構造特徴を詳述するために、具体的な実施例を挙げ、図面を参考にして以下に説明する。
【実施例１】
【００２３】
図１に、この発明による目盛りパターンを表示するタイマーを開示する。図面によれば、該タイマー１００は、ハウジング１と、設定ユニット２１と、目盛りパターン表示ユニット２２と、電源入力端２１と、電源出力端２４とを含んでなる。
【００２４】
ハウジング１は表示面１１を有し、表示面１１の特定の位置に設定ユニット２１を設ける。設定ユニット２１は設定期日と設定時間の選択に供し、ユーザーは日数の制限を受けることなく、任意の設定期日と設定時間を設定することができる。それぞれの異なる期日において、多段階方式で時間帯を予め設定することができる。設定ユニットは、設定時間における起動、もしくは停止を制御する機能をユーザーに供する定時起動、停止キー２１１をさらに具える。
【００２５】
目盛りパターン表示ユニット２２は、ハウジング１の表示面１１に設け、複数の時間目盛り部２２１を有する。それぞれの時間目盛り部２２１は所定の時間の長さを表す。実施例において、目盛りパターン表示ユニット２２は複数のＬＥＤによって構成される。即ち、時間目盛り部２２１一つにつき、ＬＥＤを１個設け、ユーザーが設定した設定時間の目盛り上における位置を表す。
【００２６】
例えば、実施例においては、一つの盛りパターン表示ユニット２２が３０分間を表し、図面に開示するように  ユーザーの設定した時間が月曜日の０４：００から０６：００、１０：００から１２００、及び１６：００から１８：００であれば、三つの時間において合計１２個のＬＥＤが発光する。当然のことながら、ユーザーはその他の期日、時間を設定することができる。例えば、火曜日の０９：００から１０：００、及び１６：００から１７：００に設定したり、もしくは月曜日から日曜日までの毎日における異なる時間に設定したりすることができる。したがって、ユーザーは目盛りパターン表示ユニット２２に表示される時間目盛り部２２１を見るだけで、すべての設定時間を容易に知ることができる。
【００２７】
実施例における電源入力端２３は差込プラグであって、ハウジング１の背面に設け、交流電源に挿入する。電源出力端はソケットであって、ハウジング１の表示面１１に設け、電器用品の挿入に供する。ユーザーが設定した時間になると、電源入力端２３から得た外部の電気エネルギーが電源出力端２４に通電し、電力が電源出力端２４に接続した電気用品に供給される。係る設計によって、本発明は壁に取り付けて従来の電源開閉器に取って代わるタイマー機能を具えた開閉器とすることができる。
【００２８】
図２に開示するように、この発明による目盛りパターンを表示するタイマー１００は、制御回路が設定ユニット２１と、目盛りパターン表示ユニット２２と、マイクロプロセッサー３と、メモリユニット３１と、タイムベース信号発生ユニット３２と、第１駆動回路３３と、第２駆動回路３５とを含んでなり、設定ユニット２１と、メモリユニット３１と、タイムベース発生ユニット３２と、第１駆動回路３３と、第２駆動回路３５とは、それぞれマイクロプロセッサー３に接続する。目盛りパターン表示ユニット２２は第１駆動回路３３を介してマイクロプロセッサー３に接続し、第２駆動回路３５は開閉器ユニット３５１に接続し、開閉器ユニット３５１は電源入力端２３と電源出力端２４に接続する。
【００２９】
ユーザーが設定した時間は、マイクロプロセッサー３を介してメモリユニット３１に記憶される。マイクロプロセッサー３はユーザーの設定した時間を計算して、ユーザーの設定した時間に対応し、かつこれに含まれる時間目盛り部２２１を得て、第１駆動回路３３を介して目盛りパターン表示ユニット２２を駆動してユーザーの設定した時間に対応し、これに含まれる時間目盛り部２２１を表示する（例えば、図１に開示するように、０４：００から０６：００、１０：００から１２：００、及び１６：００から１８：００を表すＬＥＤを発光させる）。
【００３０】
タイムベース発生ユニット３２は、タイムベースパルス信号をマイクロプロセッサー３に提供する。
【００３１】
ユーザーの設定した時間になると（例えば、図１に開示するように、月曜日の０４：００から０６：００、１０：００から１２：００、及び１６：００から１８：００）、マイクロプロセッサー３は駆動信号を第２駆動回路３５に出力し、第２駆動回路３５を介し開閉器ユニット３５１を以って電源入力端（即ち差込プラグ）を挿入した交流電源から電源入力端２４（即ちソケット）に通電させ、さらに電源供給端２４（即ちソケット）に接続した電器用品に電力を供給する。
【実施例２】
【００３２】
図３に、第２の実施例による目盛りパターンを表示するタイマーを開示する。図面によれば、第２の実施例は、上述する第１と略同様の構造である。よって、同一の部材には同様の図番を付して対応させた。第２の実施例においては、目盛りパターン表示ユニット２２が液晶表示装置であって、時間目盛り部２２１が液晶表示装置のディスプレー上における時間目盛りパターンである点が異なる。図３は、ユーザーが金曜日の０６：００から０８：００、１２：００から１４：００、及び１８：００から２０：００に時間を設定した例を開示する。
【実施例３】
【００３３】
図４に、第２の実施例による目盛りパターンを表示するタイマーの制御回路の構造を表すブロック図を開示する。第２の実施例による目盛りパターンを表示するタイマー１００ａの制御回路は、上述する第１と略同様の構造である。よって、同一の部材には同様の図番を付して対応させた。第２の実施例においては、盛りパターンを表示するタイマー１００ａがマイクロプロセッサー３に接続する時間目盛りパターンデータベース３６を具える点において異なる。時間目盛りパターンデータベース３６には、時計目盛りパターンを保存する。
【００３４】
マイクロプロセッサー３はメモリユニット３１に保存された設定時間を計算し、設定時間に対応する時間目盛り部２２１を得て、これに基づき時間目盛りパターンデータベース３６に保存されたデータから対応する時間目盛りパターンデータを読み取り、さらに対応する該時間目盛りパターンデータに基づいて目盛りパターン表示ユニット２２を駆動し、対応する時間目盛り部２２１（例えば、図４に開示するように、６：００から０８：００、１２：００から１４：００、及び１８：００から２０：００）を表示する。
【実施例４】
【００３５】
図５、図６に第３の実施例による目盛りパターンを表示するタイマーを開示する。この実施例において、目盛りパターンを表示するタイマー１００ｂは、構造の設計と制御回路とが上述する第２の実施例と略同様である。よって、説明を対応させるために同一の部材には同様の図番を付した。
【００３６】
第３の実施例は、目盛りパターンを表示するタイマー１００ｂに設定ユニット２１を設けることなく、タッチパネル２５を採用することによって設定ユニット２１の代替とする点において異なる。タッチパネル２５は時間目盛りパターン表示ユニット２２上に、ちょうどこれに対応するように設ける（時間目盛りパターン表示装置２２は第２の実施例と同様に液晶表示装置であって、表示インターフェース２２２をマイクロプロセッサー３に接続する）。
【００３７】
また、第３の実施例における電源入力端２３ａは一対の電源入力接続端子２３１、２３２によってなり、電源出力端２３ｂは電源出力接続端子２４１、２４２によってなる。
【００３８】
タッチパネル２５は上部抵抗膜層２５ａと、下部抵抗膜層２５ｂとを含んでなり、押圧信号インターフェース回路２５１を介してマイクロプロセッサー３に接続する。タッチパネル２５は、設定ユニット２１と同様にユーザーが押し圧して設定時間を設定するために供し、かつ起動する設定時間の計算に供する。即ち、ユーザーが押し圧することによって上部抵抗膜層２５ａと、下部抵抗膜層２５ｂとの間に発生する信号が  押圧信号インターフェース回路２５１を経過して検知とディジタル信号化の処理が行われ、同様にマイクロプロセッサー３に出力される。
【００３９】
電源入力接続端子２３１、２３２は、外部の電気エネルギーを得るために供する。電源出力接続端子２４１、２４２は、電器用品４に接続するために供する。
【００４０】
図５においては、ユーザーの設定した時間が日曜日の００：００から０２：００、０８：００から１０：００、及び１４：００から１６：００と開示した。時間がこれら３つの時間帯に至ると、マイクロプロセッサー３が第１駆動信号を第２駆動回路３５に送信し、第２駆動回路３５によって開閉器ユニット３５１を起動し、電源入力接続端子２３１、２３２が取得した外部の電源エネルギーを電源出力端２４（即ちソケット）さらに電力を電源出力接続端子２４１、２４２に接続した電器用品４に供給する。したがって、本発明は電源ソケットに挿入して従来の電源開閉器に取って代わるタイマー機能を具えたソケットとすることができる。
【００４１】
以上の実施例から分かるように、この発明による目盛りパターンを表示するタイマーは産業上の利用価値を具えるものであり、特許の要件を有するものである。但し、上述する実施例は、この発明を実施する場合の具体的な例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００４２】
【図１】本発明タイマーを示した斜視図（実施例１）。
【図２】図１に開示するタイマーの制御回路の構造を示したブロック図。
【図３】本発明によるタイマーの正面図（実施例２）。
【図４】図３に開示するタイマーの制御回路の構造を示したブロック図。
【図５】本発明によるタイマーの正面図（実施例３）。
【図６】図５に開示するタイマーの制御回路の構造を示したブロック図。
【符号の説明】
【００４３】
１００      目盛りパターンを表示するタイマー
１００ａ    目盛りパターンを表示するタイマー
１００ｂ    目盛りパターンを表示するタイマー
１          ハウジング
１１        表示面
２１        設定ユニット
２１１      定時起動、停止キー
２２        時間目盛りパターン表示ユニット
２２１      時間目盛り部
２２２      表示インターフェース
２３        電源入力端
２３ａ      電源入力端
２３１      電源入力接続端
２３２      電源入力接続端    
２４        電源出力端
２４ａ      電源出力端
２４１      電源出力接続端
２４２      電源出力接続端
２５        タッチパネル
２５ａ      上部抵抗膜層
２５ｂ      下部抵抗膜層
２５１      押圧信号インターフェース回路
３          マイクロプロセッサー
３１        メモリユニット
３２        タイムベース信号発生ユニット
３３        第１駆動回路
３５        第２駆動回路
３５１      開閉器ユニット
３６        時間目盛りパターンデータベース
４          電器用品
【図１】
2009139357.tif 000003
【図２】
2009139357.tif 000004
【図３】
2009139357.tif 000005
【図４】
2009139357.tif 000006
【図５】
2009139357.tif 000007
【図６】
2009139357.tif 000008